(57)【要約】【課題】装置本体に着脱される装置のバージョンと装置本体側のバージョンが異なっているときに装置本体側が正常に動作しなかったり、プログラムの更新作業が必要になる。【解決手段】画像形成装置５０１に交換可能に着脱される着脱装置５０２は、内部に記憶素子５２１を備え、記憶素子５２１にはバージョン情報５２２及び画像形成装置５０１の主制御プログラム５１１の更新プログラム５２３が記憶され、着脱装置５０２が画像形成装置５０１に装着されたときにバージョンが一致しないときには着脱装置５０２の更新プログラムを用いて画像形成装置５０１の主制御プログラムの更新を行う。【選択図】図７
2007210233.tif 000002
【特許請求の範囲】
【請求項１】
記憶素子を備えて装置本体に着脱される装置において、前記記憶素子にはこの装置本体に着脱される装置のバージョンに関する情報が格納されていることを特徴とする装置本体に着脱される装置。
【請求項２】
記憶素子を備えて装置本体に着脱される装置において、前記記憶素子には前記装置本体に内蔵されるソフトウエアの更新プログラムが格納されていることを特徴とする装置本体に着脱される装置。
【請求項３】
請求項１又は２に記載の装置本体に着脱される装置において、前記装置本体に着脱される他の装置と互換性を持って前記装置本体に着脱可能なことを特徴とする装置本体に着脱される装置。
【請求項４】
請求項１又は２に記載の装置本体に着脱される装置において、この装置本体に着脱される装置は記録液を保持した記録液カートリッジであることを特徴とする装置本体に着脱される装置。
【請求項５】
請求項１又は２に記載の装置本体に着脱される装置において、この装置本体に着脱される装置は現像剤を保持した現像剤カートリッジであることを特徴とする装置本体に着脱される装置。
【請求項６】
請求項２に記載の装置本体に着脱される装置が着脱可能な画像形成装置であって、前記更新プログラムに基づいて装置本体に内蔵されるソフトウエアの更新処理を行なう手段を備えていることを特徴とする画像形成装置。
【発明の詳細な説明】
【技術分野】
【０００１】
本発明は装置本体に着脱される装置、画像形成装置に関する。
【背景技術】
【０００２】
プリンタ、ファクシミリ、複写装置、プロッタ、プリンタ／ファクシミリ／複写機の複合機などの画像形成装置として、例えば、インクなどの記録液の液滴を吐出する液体吐出ヘッドで構成した記録ヘッドないしこの液体吐出ヘッドから液滴を吐出させる装置を備え、記録ヘッドから被記録媒体である用紙（材質を限定するものではなく、記録液、現像剤などの記録材を受容するものの意味であり、記録媒体、転写材、記録紙、転写紙などを含む。）に液滴を吐出して、画像形成（印刷、記録、印字、印写、画像形成はいずれも同義語として使用する。）を行なうことができるシリアルスキャン型或いはライン型の画像形成装置がある。また、トナーなどの現像剤を用いて電子写真方式で画像を形成する画像形成装置も知られている。
【０００３】
このような画像形成装置は、装置故障や消耗品交換等のメンテナンスに対応するために、例えば記録液カートリッジ、プロセスカートリッジ、トナーカートリッジなどの様々な装置が画像形成装置本体に着脱可能な装置として搭載される。
【０００４】
このような装置本体に着脱される装置には、ＩＣメモリなどの記憶素子を搭載し、記憶素子内に当該装置に関する情報を記憶し、装置本体に装着後に記憶素子情報を利用した制御を実施している。
【０００５】
例えば、特許文献１には製品情報を記憶したＩＣタグを備えることが記載されている。その他、特許文献２ないし５に記載されているようなものもある。
【特許文献１】特開２００３−０３９７８３号公報
【特許文献２】特開２００２−２８７５７９号公報
【特許文献３】特開２００３−２４８４１２号公報
【特許文献４】特開２００３−２６３０１３号公報
【特許文献５】特開２００２−１６６６２８号公報
【０００６】
一方、画像形成装置においては、画像形成装置本体に制御プログラムが搭載され、着脱される装置側には、当該装置情報のみが記憶される。
【０００７】
そして、装置本体に着脱される装置側の記憶素子の格納情報の種類は、装置本体側の制御プログラムで管理されており、制御プログラムは、その情報に基づいて着脱される装置の記憶素子の制御を実行している。このような構成の装置として、特許文献６に記載されているような周辺機器およびプリンタがある。
【特許文献６】特開２００３−０３９７７８号公報
【発明の開示】
【発明が解決しようとする課題】
【０００８】
装置本体に着脱される装置は、製品出荷後に、消耗、故障、機能拡張等の場合に交換されることが想定される。この場合、交換後の装置本体に着脱される装置が交換前の装置に対して記憶素子の格納情報がバージョンアップされていると、装置本体側の制御プログラムが着脱される装置の装着を正常に判定できずにエラーが発生するおそれがある。
【０００９】
この場合、装置本体側では制御プログラムを更新する必要があるが、一般的な附属品の記録メディア（ＣＤ、ＤＶＤ，ＦＤ等）の更新プログラムをパソコン上で起動させたり、ネットワークから更新プログラムをダウンロードした後に起動させたりして更新を行うので、更新作業が面倒になる。
【００１０】
本発明は上記の課題に鑑みてなされたものであり、装置本体側との互換性判定を簡単に行えるようにした装置本体に着脱される装置、装置本体側の制御プログラムの更新を簡単に行えるようにした装置本体に着脱される装置及び画像形成装置を提供することを目的とする。
【課題を解決するための手段】
【００１１】
上記課題を解決するために、装置本体に着脱される装置は、記憶素子にはこの装置本体に着脱される装置にバージョンに関する情報が格納されている構成とした。また、装置本体に着脱される装置は、記憶素子には装置本体に内蔵されるソフトウエアの更新プログラムが格納されている構成とした。
【００１２】
これらの各装置本体に着脱される装置においては、装置本体に着脱される他の装置と互換性を持って装置本体に着脱可能な構成とできる。また、装置本体に着脱される装置は記録液を保持した記録液カートリッジ、現像剤を保持した現像剤カートリッジである構成とできる。
【００１３】
本発明に係る画像形成装置は、装置本体に内蔵されるソフトウエアの更新プログラムが格納されている記憶素子を備えた装置本体に着脱される装置が装着可能であって、更新プログラムに基づいて装置本体に内蔵されるソフトウエアの更新処理を行なう手段を備えている構成とした。
【発明の効果】
【００１４】
本発明に係る装置本体に着脱される装置は、記憶素子にはこの装置本体に着脱される装置にバージョンに関する情報が格納されている構成としたので、互換性判定を簡単に行うことができる。また、本発明に係る装置本体に着脱される装置は、記憶素子には装置本体に内蔵されるソフトウエアの更新プログラムが格納されている構成としたので、装置本体側の制御プログラムの更新を簡単に行うことができる。
【００１５】
本発明に係る画像形成装置は、装置本体に内蔵されるソフトウエアの更新プログラムが格納されている記憶素子を備えた装置本体に着脱される装置が装着可能であって、更新プログラムに基づいて装置本体に内蔵されるソフトウエアの更新処理を行なう手段を備えているので、制御プログラムの更新を簡単に行うことができる。
【発明を実施するための最良の形態】
【００１６】
以下、本発明の実施の形態について添付図面を参照して説明する。図１は本発明に係る画像形成装置としてのインクジェット記録装置を前方側から見た斜視説明図である。
この画像形成装置（インクジェット記録装置）は、装置本体１と、装置本体１に装着された用紙を装填するための給紙トレイ２と、装置本体１に着脱自在に装着されて画像が記録（形成）された用紙をストックするための排紙トレイ３とを備えている。さらに、装置本体１の前面の一端部側（給排紙トレイ部の側方）には、記録液カートリッジであるインクカートリッジを装填するためのカートリッジ装填部４を有し、このカートリッジ装填部４の上面は操作ボタンや表示器などを設ける操作部（表示部／入力部）５としている。
【００１７】
このカートリッジ装填部４には、色の異なる色材である記録液（インク）、例えば黒（Ｋ）インク、シアン（Ｃ）インク、マゼンタ（Ｍ）インク、イエロー（Ｙ）インクをそれぞれ収容した複数のインクカートリッジ（メインタンク）１０ｋ、１０ｃ、１０ｍ、１０ｙ（色を区別しないときは「インクカートリッジ１０」という。）を、装置本体１の前面側から後方側に向って挿入して装填可能とし、このカートリッジ装填部４の前面側には、インクカートリッジ１０を着脱するときに開く前カバー（カートリッジカバー）６を開閉可能に設けている。
【００１８】
次に、このインクジェット記録装置の機構部について図２及び図３を参照して説明する。なお、図２は同機構部の概要を示す側面模式的説明図、図３は同じく要部平面説明図である。
ガイド部材であるガイドロッド３１とステー３２とでキャリッジ３３を主走査方向に摺動自在に保持し、図示しない主走査モータによってタイミングベルトを介して図３で矢示方向（キャリッジ主走査方向）に移動走査する。
【００１９】
このキャリッジ３３には、前述したようにイエロー（Ｙ）、シアン（Ｃ）、マゼンタ（Ｍ）、ブラック（Ｂｋ）の各色のインク滴を吐出する４個の液滴吐出ヘッド（以下「ヘッド」という。）３４ａ〜３４ｄからなる記録ヘッド３４を複数のインク吐出口を主走査方向と交叉する方向に配列し、インク滴吐出方向を下方に向けて装着している。
【００２０】
記録ヘッド３４のヘッドを構成するインクジェットヘッドとしては、圧電素子などの圧電アクチュエータ、発熱抵抗体などの電気熱変換素子を用いて液体の膜沸騰による相変化を利用するサーマルアクチュエータ、温度変化による金属相変化を用いる形状記憶合金アクチュエータ、静電力を用いる静電アクチュエータなどを、液滴を吐出するための圧力を発生する圧力発生手段として備えたものなどを使用できる。
【００２１】
また、キャリッジ３３には、記録ヘッド３４に各色のインクを供給するための各色のヘッドタンク３５ｙ１、３５ｍ１、３５ｋ、３５ｃ、３５ｍ２、３５ｙ２（色を区別しないときは「ヘッドタンク３５」という。）を搭載している。この各色のヘッドタンク３５には各色のインク供給チューブ３６を介して、前述したように、カートリッジ装填部４に装着された各色のインクカートリッジ１０から各色のインクが補充供給される。なお、このカートリッジ装填４にはインクカートリッジ１０内のインクを送液するための供給ポンプユニット２４が設けられている。
【００２２】
一方、給紙トレイ２の用紙積載部（圧板）４１上に積載した用紙４２を給紙するための給紙部として、用紙積載部４１から用紙４２を１枚ずつ分離給送する半月コロ（給紙コロ）４３及び給紙コロ４３に対向し、摩擦係数の大きな材質からなる分離パッド４４を備え、この分離パッド４４は給紙コロ４３側に付勢されている。
【００２３】
そして、この給紙部から給紙された用紙４２を記録ヘッド３４の下方側に送り込むために、用紙４２を案内するガイド部材４５と、カウンタローラ４６と、搬送ガイド部材４７と、先端加圧コロ４９を有する押さえ部材４８とを備えるとともに、給送された用紙４２を静電吸着して記録ヘッド３４に対向する位置で搬送するための搬送手段である搬送ベルト５１を備えている。
【００２４】
この搬送ベルト５１は、無端状ベルトであり、搬送ローラ５２とテンションローラ５３との間に掛け渡されて、ベルト搬送方向（副走査方向）に周回するように構成している。また、この搬送ベルト５１の表面を帯電させるための帯電手段である帯電ローラ５６を備えている。この帯電ローラ５６は、搬送ベルト５１の表層に接触し、搬送ベルト５１の回動に従動して回転するように配置されている。
【００２５】
この搬送ベルト５１は、図示しない副走査モータによってタイミングを介して搬送ローラ５２が回転駆動されることによって図３のベルト搬送方向に周回移動する。
【００２６】
さらに、記録ヘッド３４で記録された用紙４２を排紙するための排紙部として、搬送ベルト５１から用紙４２を分離するための分離爪６１と、排紙ローラ６２及び排紙コロ６３とを備え、排紙ローラ６２の下方に排紙トレイ３を備えている。
【００２７】
また、装置本体１の背面部には両面ユニット７１が着脱自在に装着されている。この両面ユニット７１は搬送ベルト５１の逆方向回転で戻される用紙４２を取り込んで反転させて再度カウンタローラ４６と搬送ベルト５１との間に給紙する。また、この両面ユニット７１の上面は手差しトレイ７２としている。
【００２８】
さらに、図３に示すように、キャリッジ３３の走査方向一方側の非印字領域には、記録ヘッド３４のノズルの状態を維持し、回復するための回復手段を含む維持回復機構８１を配置している。維持回復機構８１には、記録ヘッド３４の各ノズル面をキャピングするための各キャップ部材（以下「キャップ」という。）８２ａ〜８２ｄ（区別しないときは「キャップ８２」という。）と、ノズル面をワイピングするためのブレード部材であるワイパーブレード８３と、増粘した記録液を排出するために記録に寄与しない液滴を吐出させる空吐出を行うときの液滴を受ける空吐出受け８４などを備えている。ここでは、キャップ８２ａを吸引及び保湿用キャップとし、他のキャップ８２ｂ〜８２ｄは保湿用キャップとしている。
【００２９】
また、図３に示すように、キャリッジ３３の走査方向他方側の非印字領域には、記録中などに増粘した記録液を排出するために記録に寄与しない液滴を吐出させる空吐出を行うときの液滴を受ける空吐出受け８８を配置し、この空吐出受け８８には記録ヘッド３４のノズル列方向に沿った開口８９などを備えている。
【００３０】
このように構成したインクジェット記録装置においては、給紙トレイ２から用紙４２が１枚ずつ分離給紙され、略鉛直上方に給紙された用紙４２はガイド４５で案内され、搬送ベルト５１とカウンタローラ４６との間に挟まれて搬送され、更に先端を搬送ガイド３７で案内されて先端加圧コロ４９で搬送ベルト５１に押し付けられ、略９０°搬送方向を転換される。このとき、用紙４２は搬送ベルト５１に吸着され、搬送ベルト５１の周回移動によって用紙４２が副走査方向に搬送される。
【００３１】
そこで、キャリッジ３３を移動させながら画像信号に応じて記録ヘッド３４を駆動することにより、停止している用紙４２にインク滴を吐出して１行分を記録し、用紙４２を所定量搬送後、次の行の記録を行う。記録終了信号又は用紙４２の後端が記録領域に到達した信号を受けることにより、記録動作を終了して、用紙４２を排紙トレイ３に排紙する。
【００３２】
次に、このインクジェット記録装置で使用している装置本体に着脱される装置としての記録液カートリッジであるインクカートリッジについて図４及び図５をも参照して説明する。
このインクカートリッジ１０は、カートリッジケース（筺体）１０２内に記録液であるインクを収容した記録液収容手段であるインク袋１０３を収納したものである。このカートリッジケース１０２は、分解及び組立て可能に２分割された第１ケース（ベース）１２１と第２ケース（ケース）１２２とで構成されている。
【００３３】
そして、カートリッジケース１０２には内部に収納したインク袋１０３のインク供給口部１３１に対応して開口部１２３を形成している。
【００３４】
このインクカートリッジ１０をカートリッジ装填部４に装着したときに、カートリッジ装着部４の奥側に設けた中空針がインク袋１０３の供給口部１３１内に刺通されて、インク袋１０３内部と供給ポンプユニット２４とが連通状態となり、インク袋１０３内のインクを装置本体１側に供給可能になる。
【００３５】
また、このインクカートリッジ１０の前面側上部には、ＥＥＰＲＯＭなどからなる書替え可能な記憶素子である不揮発性メモリ１３０を設けている。この不揮発性メモリ１３０には、インクカートリッジ１０に関する情報、例えば、インク色、インク種、使用期限、ＩＤ番号、純正情報、再充填回数、インク残量などに関する固有の情報を記憶されるとともに、バージョン情報（Ｖｅｒ情報）や画像形成装置本体１側の制御プログラムの更新プログラムが記憶される。
【００３６】
そして、このインクカートリッジ１０をカートリッジ装填部４に装着することで、装置本体1側の電極と電気的に接続されて、不揮発性メモリ１３０に記憶されている情報が装置本体１側に読み出し可能となり、また、装置本体１側から不揮発性メモリ１３０に対する書き込みが可能となる。また、装置本体１側の制御プログラムはインクカートリッジ１０の不揮発性メモリ１３０に格納されているバージョン情報や更新プログラムに基づいて、互換性判定や制御プログラムの更新処理を行なう。
【００３７】
次に、この画像形成装置の制御部の概要について図６を参照して説明する。なお、同図は同制御部の全体ブロック説明図である。
この制御部３００は、この画像形成装置全体の制御を司る、インクカートリッジ１０の不揮発性メモリ１３０に記憶された更新プログラムに基づいて制御プログラムを更新する処理を行なう手段などを兼ねたマイクロコンピュータで構成した主制御部３０１及び印刷制御を司るマイクロコンピュータで構成した印刷制御部３０２とを備えている。
【００３８】
そして、主制御部３０１は、プリンタドライバ４０１を搭載したパーソナルコンピュータ等の情報処理装置であるホスト４００から転送されて通信回路３０９から入力される印刷データ等の情報に基づいて、用紙４２に画像を形成するために、前述したように、主走査モータ１１４や副走査モータ１１５を主走査モータ駆動回路３０３及び副走査モータ３０４を介して駆動制御するとともに、印刷制御部３０２に対して印刷用データを送出するなどの制御を行なう。
【００３９】
また、主制御部３０１には、キャリッジ３３の位置を検出するキャリッジ位置検出回路３０５からの検出信号が入力され、主制御部３０１はこの検出信号に基づいてキャリッジ３３の移動位置及び移動速度を制御する。キャリッジ位置検出回路３０５は、例えばキャリッジ３３の走査方向に配置されたエンコーダシートのスリット数を、キャリッジ３３に搭載されたフォトセンサで読み取って計数することで、キャリッジ３３の位置を検出する。主走査モータ駆動回路３０３は、主制御部３０１から入力されるキャリッジ移動量に応じて主走査モータ２０１を回転駆動させて、キャリッジ３３を所定の位置に所定の速度で移動させる。
【００４０】
また、主制御部３０１には搬送ベルト５１の移動量を検出する搬送量検出回路３０６からの検出信号が入力され、主制御部３０１はこの検出信号に基づいて搬送ベルト５１の移動量及び移動速度を制御する。搬送量検出回路３０６は、例えば搬送ローラ５２の回転軸に取り付けられた回転エンコーダシートのスリット数を、フォトセンサで読み取って計数することで搬送量を検出する。副走査モータ駆動回路３０４は、主制御部３０１から入力される搬送量に応じて副走査モータ２０５を回転駆動させて、搬送ローラ５２を回転駆動して搬送ベルト５１を所定の位置に所定の速度で移動させる。
【００４１】
主制御部３０１は、給紙コロ駆動回路３０７に給紙コロ駆動指令を与えることによって給紙コロ４３を一回転させる。主制御部３０１は、維持回復機構駆動用モータ駆動回路３０８を介して維持回復機構８１の駆動源であるモータを回転駆動することにより、キャップ８２の昇降、キャップ８２内を吸引ポンプで吸引するノズル吸引、ワイパーブレード８３の昇降などを行なわせる。
【００４２】
主制御部３０１は、インク供給モータ駆動回路３１１を介して供給ユニット２４のポンプを駆動するためのインク供給モータを駆動制御し、カートリッジ装填部４に装填されたインクカートリッジ３８からサブタンク３６に対してインクを補充供給させる。
【００４３】
主制御部３０１には、サブタンク３６が満タン状態にあることを検知するサブタンク満タンセンサ３１２からの検知信号、カートリッジ装填部４の前カバー６の開閉を検知するカートリッジカバーセンサ３１２からの検知信号などが入力される。
【００４４】
また、主制御部３０１は、カートリッジ通信回路３１４を通じて、カートリッジ装填部４に装着された各インクカートリッジ１０に設けられる記憶手段である不揮発性メモリ１３０ｋ、１３０ｃ、１３０ｍ、１３０ｙ（区別しない場合は上記のとおり「不揮発性メモリ１３０」という。）に記憶されている情報を取り込んで、所要の処理を行なって、本体記憶手段である不揮発性メモリ（例えばＥＥＰＲＯＭ）３１５に格納保持したり、互換性判定を行ったり、主制御プログラムの更新をする処理を行なう。
【００４５】
また、主制御部３０１は、装置本体１の機能のユーザーによる使用状況に関する情報をカートリッジ通信回路３１４を介してインクカートリッジ１０の不揮発性メモリ１３０に書き込む（記憶させる）制御を行う。
【００４６】
印刷制御部３０２は、主制御部３０１からの信号とキャリッジ位置検出回路３０５及び搬送量検出回路３０６などからのキャリッジ位置や搬送量に基づいて、記録ヘッド３４の液滴を吐出させるための圧力発生手段を駆動するためのデータを生成して、ヘッド駆動回路３１０に与えるとともに、記録ヘッド３４の圧力発生手段を駆動するための駆動波形を生成してヘッド駆動回路３１０に与える。
【００４７】
ヘッド駆動回路３１０は、印刷制御部３０２からの印刷データに基づいて記録ヘッド３４の圧力発生手段（ピエゾ型ヘッドであれば圧電素子）を駆動して、所要のノズルから液滴を吐出させる。
【００４８】
そこで、このような画像形成装置に適用する本発明の第１実施形態について図７を参照して説明する。
画像形成装置５０１は装置本体（ここでは画像形成装置５０１）に着脱される装置である着脱装置５０２が着脱自在に装着される。画像形成装置５０１は、主制御プログラム５１１によって各部を制御し、また、操作部５１２を備え、この操作部５１２の表示部５１３に所要の情報を表示し、また入力部５１４から所要の情報を入力することができる。
【００４９】
着脱装置５０２は、内部に記憶素子５２１を備え、この記憶素子５２１にはバージョン情報５２２及び画像形成装置５０１の主制御プログラム５１１の更新プログラム５２３が記憶されている。
【００５０】
次に、本発明の第２実施形態について図８を参照して説明する。
画像形成装置５０１は装置本体（ここでは画像形成装置５０１）に着脱される装置である着脱装置５０２が着脱自在に装着される。画像形成装置５０１は、主制御プログラム５１１によって各部を制御し、また、操作部５１２を備え、この操作部５１２の表示部５１３に所要の情報を表示し、また入力部５１４から所要の情報を入力することができる。
【００５１】
着脱装置５０２は、内部に記憶素子５２１を備え、この記憶素子５２１にはバージョン情報５２２が記憶されている。
【００５２】
次に、本発明の第３実施形態について図９を参照して説明する。
画像形成装置５０１は装置本体（ここでは画像形成装置５０１）に着脱される装置である着脱装置５０２が着脱自在に装着される。画像形成装置５０１は、主制御プログラム５１１によって各部を制御し、また、操作部５１２を備え、この操作部５１２の表示部５１３に所要の情報を表示し、また入力部５１４から所要の情報を入力することができる。
【００５３】
この画像形成装置５０１には、装置本体に着脱される他の装置である着脱装置５０２と互換性を有する装置本体に着脱される装置である記憶素子５０３を着脱自在に装着することができる。この記憶素子５０３には画像形成装置５０１の主制御プログラム５１１の更新プログラム５２３が記憶されている。
【００５４】
なお、これらの各実施形態において、画像形成装置５０１は例えば前述したインクジェット記録装置であり、主制御プログラム５１１は主制御部３０１に格納されている制御プログラムであり、着脱装置５０２は例えばインクカートリッジ（記録液カートリッジ）１０である。
【００５５】
次に、画像形成装置５０１側での制御プログラムの更新に関する処理について図１０及び図１１を参照して説明する。
図１０を参照して、画像形成装置５０１は、記憶素子搭載の着脱装置５０２が装着（接続）されたときにこの処理の実行を開始し、画像形成装置５０１のメインプログラムである主制御プログラムにより、着脱装置５０２搭載の記憶素子５２１に対して「記憶素子Ver互換確認」の処理が開始される。主制御プログラムには予め互換性のある記憶素子バージョンを記憶し、この処理により、記憶素子バージョンの互換性判定を行う。
【００５６】
ここで、記憶素子バージョンの互換性が確認されたときには、主制御プログラムは「記憶素子の情報確認・情報更新」の処理を行い、着脱装置の接続確認を完了する。記憶素子の情報確認・情報更新の処理では、画像形成装置５０１が着脱装置５０２の記憶素子５２１に格納されている製品情報の読出確認と、着脱装置５２１の初期設定のための情報更新を行う。
【００５７】
これに対して、記憶素子バージョンの互換性が確認できないとき、例えば記憶素子バージョンのバージョンアップ等が確認され、主制御プログラムとの互換性が確認できないときには、図１１に示す処理に移行し、記憶素子バージョンに合わせた主制御プログラムの更新が必要となる。
【００５８】
そこで、主制御プログラムは「更新プログラム搭載確認」の処理を開始し、記憶素子５２１に主制御プログラムの更新プログラムが搭載されているかを判別する。
【００５９】
ここで、記憶素子５２１に更新プログラムが搭載されているときには、主制御プログラムは「プログラム更新実行要求」処理に移行する。この処理では、操作５１２の表示部５１３にプログラム更新が必要なことを表示し、入力部５１４の入力キーより、ユーザーにプログラム更新の実行／非実行を選択入力するように表示する。
【００６０】
そして、ユーザーが「プログラム更新」の実行を選択した場合には、主制御プログラムはプログラム更新の処理を行い、主制御プログラムを記憶素子バージョン互換の状態に更新する。その後、装着された着脱装置が更新プログラム専用記憶素子（前述した図９の記憶素子５０３）か否かを判別し、専用記憶素子でなければ、図１０に戻って、着脱装置（記憶素子搭載）の接続確認を完了する。
【００６１】
これに対し、ユーザーが「プログラム更新」の非実行を選択した場合には、「Ver非互換警告表示」処理を行い、画像形成装置５０１の主制御プログラムが装着された着脱装置５０２の記憶素子バージョンと非互換であるために、着脱装置５０２の一部ないし全部の機能が使用不可能なことを操作部５１２の表示部５１３に表示する。
【００６２】
以上に対し、装着された着脱装置５０２の記憶素子５２１内に更新プログラムが搭載されていないとき、例えば第２実施形態（図８）の着脱装置５０２のようにバージョン情報だけを記憶している場合には、主制御プログラムは「更新プログラム搭載要求」の処理を行ない、操作部５１２の表示部５１３にその要求を表示する。併せて、「更新プログラム搭載要求」の発生時、更新プログラム搭載記憶素子の接続を主制御プログラムへ通知するため、ユーザーに操作部５１２の入力部５１４の入力キーで接続／非接続を選択入力するように求める表示をする。
【００６３】
そして、更新プログラム搭載専用記憶素子を接続（装着）する旨のキー入力があった場合には、主制御プログラムは、再度「更新プログラム搭載確認」に移行して処理を再開する。これに対して、更新プログラム搭載専用記憶素子の非接続のキー入力がされた場合には、主制御プログラムは、「更新プログラム導入警告表示」処理へと移行し、操作部５１２の表示部５１３に画像形成装置の主制御プログラムが着脱装置の記憶素子バージョンと非互換であるために着脱装置の一部ないし全部の機能が使用不可能なこと、着脱装置を使用するためにはマニュアル等に従い所定の手順で主制御プログラムを更新する必要があることなど、を操作部５１２の表示部５１３に表示する。
【００６４】
なお、「プログラム更新」処理の完了直後は、図７に示すように画像形成装置５０１に着脱装置５０２が接続されている状態と、図９に示すように更新プログラム搭載記憶素子５０３が接続されている状態がある。画像形成装置５０１が通常動作をするためには、着脱装置５０２が装着されている必要があるので、前述したように、「更新プログラム専用記憶素子搭載」処理を行って更新プログラム専用記憶素子が装着されているか否かを判別する。
【００６５】
そして、更新プログラム専用記憶素子であるときには、「着脱装置の搭載要求」処理により、操作部５１２の表示部５１３に更新プログラム専用記憶素子のかわりに着脱装置を再搭載するように促す表示を行なう。その後、「着脱装置の搭載確認」処理を行って、着脱装置５０２が再搭載された後に、主制御プログラムによる搭載自動確認か、ユーザーに操作部５１２の入力部５１４の入力キーによる搭載確認入力を要求するかにより、再搭載を確認する。そして、再搭載確認後、前述した「記憶素子Ver互換確認」処理へ移行する。
【００６６】
なお、上記実施形態では装置本体に着脱される装置が記録液カートリッジで、これを使用する画像形成装置の例で説明したが、電子写真方式の画像形成装置における現像剤カートリッジ、プロセスカートリッジなどの交換可能に着脱される消耗部品を使用する場合にも同様に適用することができる。また、本発明に係る画像形成装置は、プリンタ単機能構成のものに限らず、プリンタ／ファクシミリ／複写などの複合機能を有する画像形成装置であっても良い。
【図面の簡単な説明】
【００６７】
【図１】本発明に係る画像形成装置としてのインクジェット記録装置の前方側から見た斜視説明図である。
【図２】同装置の機構部の全体構成を説明する側面概略構成図である。
【図３】同機構部の要部平面説明図である。
【図４】本発明に係る記録液カートリッジの外観斜視説明図である。
【図５】同じく側面説明図である。
【図６】同装置の制御部の概略ブロック説明図である。
【図７】本発明の第１実施形態の説明に供するブロック説明図である。
【図８】本発明の第２実施形態の説明に供するブロック説明図である。
【図９】本発明の第２実施形態の説明に供するブロック説明図である。
【図１０】着脱装置を装着する装置本体側のプログラム更新に関する処理の説明に供するフロー図である。
【図１１】同じく同処理の説明に供するフロー図である。
【符号の説明】
【００６８】
１…装置本体
２…給紙トレイ
３…排紙トレイ
４…カートリッジ装填部
１０、１０ｋ、１０ｃ、１０ｍ、１０ｙ…インクカートリッジ（着脱される装置）
３３…キャリッジ
３４…記録ヘッド
３５…サブタンク
５１…搬送ベルト
１３０…不揮発性メモリ（記憶素子）
３０１…主制御部
５０１…画像形成装置
５０２…着脱装置
５１１…記憶素子
５２１…バージョン情報
５２２…更新プログラム
【図１】
2007210233.tif 000003
【図２】
2007210233.tif 000004
【図３】
2007210233.tif 000005
【図４】
2007210233.tif 000006
【図５】
2007210233.tif 000007
【図６】
2007210233.tif 000008
【図７】
2007210233.tif 000009
【図８】
2007210233.tif 000010
【図９】
2007210233.tif 000011
【図１０】
2007210233.tif 000012
【図１１】
2007210233.tif 000013